(57)【特許請求の範囲】
【請求項１】
被支持体に設けられている雌ねじからなる第１の連結部と螺合可能な雄ねじからなる第２の連結部を外周面に備え、貫通している内周面に雌ねじを備える第１の雌ねじ部と、
第１の雌ねじ部の雌ねじと螺合する雄ねじを外周面に有し、上記被支持体を昇降移動させるための第１の雄ねじ部と、
一方の端部の外周面に上記被支持体の第１の連結部と螺合可能な雄ねじからなる第３の連結部を有し、前記一方の端部から他方の端部まで内孔を有し、前記他方の端部における内孔の内周面に第１の雌ねじ部の第２の連結部と螺合可能な雌ねじからなる第４の連結部を有する円筒状の延長部材とを、
具備し、第１の雄ねじ部の雄ねじが第１の雌ねじ部の雌ねじを超えて前記延長部材の内孔内に侵入している高さ調整装置。
【請求項２】
第１の高さ調整装置により高さ調整が可能な計量部と、第２の高さ調整装置により上記計量部に対する高さ調整が可能な表示部又は操作部と、を備える計量装置において、
第１の高さ調整装置は、
雌ねじからなる第１の連結部と螺合可能な雄ねじからなる第２の連結部を外周面に備え、貫通している内周面に雌ねじを備える第１の雌ねじ部と、
第１の雌ねじ部の雌ねじと螺合する雄ねじを外周面に有し、上記被支持体を昇降移動させるための第１の雄ねじ部と、
一方の端部の外周面に上記被支持体の第１の連結部と螺合可能な雄ねじからなる第３の連結部を有し前記一方の端部から他方の端部まで内孔を有し、前記他方の端部における内孔の内周面に第１の雌ねじ部の第２の連結部と螺合可能な雌ねじからなる第４の連結部を有する円筒状の延長部材とを、
具備し、第１の雄ねじ部の雄ねじが第１の雌ねじ部の雌ねじを超えて前記延長部材の内孔内に侵入し、
第２の高さ調整装置は、
上記表示部又は操作部と結合する所定の表面に高さ方向に沿って互いに間隔を隔てて設けられている複数の凹部又はねじ孔と、上記計量部と結合する部分に設けられ、上記凹部に着脱可能に係合させることができる凸部、又は上記ねじ孔に螺合可能な第２の雄ねじ部と、を具備する計量装置。
【発明の詳細な説明】
【０００１】
【発明の属する技術分野】
この発明は、被支持体の設置高さを調整するための高さ調整装置、並びに計量コンベアの高さ、及び計量コンベアに対する表示部の高さを調整することができる計量装置に関する。
【０００２】
【従来の技術】
従来の計量装置には、計量コンベアがロードセルに支持された状態で架台上に設置されており、この架台に表示部が固定して設置されているものがある。この種の計量装置は、架台を支持する各脚部にねじ式の高さ調整装置を設けてある。この高さ調整装置は、架台の各脚部の下端部に雌ねじ部を設けてあり、これら各雌ねじ部に高さ調整ボルトを螺合させてある。
この高さ調整装置によると、計量コンベアの搬送面を既設の搬入コンベアの搬送面の高さに合わせるために、計量コンベアの高さを変更するときは、４つの各高さ調整ボルトを各脚部の下端部から伸長、又は短縮させる方向に回して所望の高さに調整することができる。
【０００３】
【発明が解決しようとする課題】
しかし、従来のねじ式の高さ調整装置では、計量コンベアの搬送面の高さを高くするために高さ調整ボルトを脚部の下端部から伸長させると、長くするに従って、設置されている計量コンベアの剛性が低くなって計量精度が低下するという問題がある。つまり、高さ調整ボルトは、外周面に雄ねじが設けられている略円柱形であり、これを太くすると、重量が重くなるし、この高さ調整ボルトが螺合する雌ねじ部の外径も大きくなって嵩だかくなり、高さ調整ボルトを太くするにも限界がある。
【０００４】
そして、計量コンベアの高さを変更したときは、計量コンベア、表示部、及び架台から成る計量装置全体の高さも変わるので、表示部が作業者にとって見にくい高さとなることがある。
【０００５】
この発明は、剛性を低下させずに比較的広い範囲で被支持体の高さを調整することができる高さ調整装置、及び計量部と表示部（又は操作部）のそれぞれの高さを別々に調整することができる計量装置を提供することを目的とする。
【０００６】
【課題を解決するための手段】
第１の発明に係る高さ調整装置は、被支持体に設けられている雌ねじからなる第１の連結部と螺合可能な雄ねじからなる第２の連結部を外周面に備え、貫通している内周面に雌ねじを備える第１の雌ねじ部と、第１の雌ねじ部の雌ねじと螺合する雄ねじを外周面に有し、上記被支持体を昇降移動させるための第１の雄ねじ部と、一方の端部の外周面に上記被支持体の第１の連結部と螺合可能な雄ねじからなる第３の連結部を有し、前記一方の端部から他方の端部まで内孔を有し、前記他方の端部における内孔の内周面に第１の雌ねじ部の第２の連結部と螺合可能な雌ねじからなる第４の連結部を有する円筒状の延長部材とを、具備し、第１の雄ねじ部の雄ねじが第１の雌ねじ部の雌ねじを超えて前記延長部材の内孔内に侵入している。
【０００８】
第２の発明に係る計量装置は、第１の高さ調整装置により高さ調整が可能な計量部と、第２の高さ調整装置により上記計量部に対する高さ調整が可能な表示部又は操作部と、を備える計量装置において、第１の高さ調整装置は、雌ねじからなる第１の連結部と螺合可能な雄ねじからなる第２の連結部を外周面に備え、貫通している内周面に雌ねじを備える第１の雌ねじ部と、第１の雌ねじ部の雌ねじと螺合する雄ねじを外周面に有し、上記被支持体を昇降移動させるための第１の雄ねじ部と、一方の端部の外周面に上記被支持体の第１の連結部と螺合可能な雄ねじからなる第３の連結部を有し前記一方の端部から他方の端部まで内孔を有し、前記他方の端部における内孔の内周面に第１の雌ねじ部の第２の連結部と螺合可能な雌ねじからなる第４の連結部を有する円筒状の延長部材とを、具備し、第１の雄ねじ部の雄ねじが第１の雌ねじ部の雌ねじを超えて前記延長部材の内孔内に侵入している。第２の高さ調整装置は、上記表示部又は操作部と結合する所定の表面に高さ方向に沿って互いに間隔を隔てて設けられている複数の凹部又はねじ孔と、上記計量部と結合する部分に設けられ、上記凹部に着脱可能に係合させることができる凸部、又は上記ねじ孔に螺合可能な第２の雄ねじ部と、を具備している。
【０００９】
第１の発明に係る高さ調整装置によると、被支持体を比較的低い高さに設置するときは、第１の連結部に第２の連結部を連結させることにより被支持体に第１の雌ねじ部を取り付け、この第１の雌ねじ部に第１の雄ねじ部を螺合させて取り付ける。そして、第１の雄ねじ部を回動させることにより、第１の雌ねじ部からの突出長さを伸長又は短縮させることができ、これによって、被支持体が所望の高さとなるように調整することができる。
そして、被支持体を比較的高い高さに設置するときは、第１の連結部に第３の連結部を連結させることにより被支持体に延長部材を取り付け、第４の連結部に第２の連結部を連結させることにより、延長部材に第１の雌ねじ部を取り付ける。更に、第１の雌ねじ部に第１の雄ねじ部を螺合させて取り付ける。そして、第１の雄ねじ部を回動させることにより、第１の雌ねじ部からの突出長さを伸長又は短縮させることができ、これによって、被支持体が所望の高さとなるように調整することができる。
【００１１】
第２の発明に係る計量装置に設けられている第１の高さ調整装置は、第１の発明と同等の作用をするので説明を省略する。第２の高さ調整装置によると、表示部又は操作部を計量部に対して所望の高さに変更した状態で、計量部側に設けられている凸部、又は第２の雄ねじ部を表示部又は操作部側に設けられている凹部に係合、又はねじ孔に螺合させることにより表示部又は操作部を計量部に固定することができる。
【００１２】
【発明の実施の形態】
本発明に係る計量装置を重量選別機に適用した一実施形態を各図を参照して説明する。この重量選別機は、図１及び図２に示すように、直線パイプ１及び接続パイプ２等を接合させて形成した架台３に計量部４と操作表示部５を設けてある。
計量部４は、架台３上に設置されている荷重検出器６と、この荷重検出器６により支持されている計量コンベア７と、を備えている。なお、架台３には、被計量物を計量コンベア７の入口に送り込むための送り込みコンベア８を設けてある。そして、この架台３を支持する４つの各脚部９に合計４組の第１の高さ調整装置１０を設けてある。
操作表示部５は、縦長の略直方体の筐体１１の上部の正面に設けてある。この筐体１１は、第２の高さ調整装置１２を介して架台３に設けてある。
【００１３】
重量選別機は、図には示さないが、計量コンベア７の後段に例えば複数の振分け装置を接続して使用する。この重量選別機は、被計量物が送り込みコンベア８により搬送されて計量コンベア７に送り込まれると、この被計量物が計量コンベア７上を通過する間に被計量物の重量を荷重検出器６が検出し、この検出した重量が予め設定されている複数の重量区分のうちのいずれの重量区分に属しているかを選別部が選別することができるようになっている。この選別部は従来公知のものであり、図には示さないがＣＰＵ（中央演算処理装置）により構成されており、その選別した重量区分と対応する振分け装置に選別信号を出力する。すると、被計量物がその該当する振分け装置の位置に搬送されたときに、その振分け装置が作動して被計量物を所定の振分け位置に振り分けることができる。
また、操作表示部５は、例えば複数の各重量区分の境界重量値等の各種データの設定、及び表示をすることができるし、計量部４により計量された被計量物の重量及び重量区分を表示することができるものである。また、各種エラーの内容を表示することもできる。
【００１４】
次に、本発明の特徴とする第１の高さ調整装置１０、及び第２の高さ調整装置１２を説明する。
第１の高さ調整装置１０は、図１に示すように架台３の脚部９に４組設けてあり、それぞれ同等のものであるので１組を説明し、他の組の説明を省略する。第１の高さ調整装置１０は、図５（ａ）〜（ｃ）に示すように、架台３を比較的低い所定の範囲で調整を行うことができるし、図５（ｄ）〜（ｆ）に示すように、架台３を比較的高い所定の範囲で調整を行うことができる。
図５（ａ）〜（ｃ）に示すように、第１の高さ調整装置１０により、計量コンベア７及び送り込みコンベア８の搬送面、並びにこれら計量コンベア７等が固定して設けられている架台３を比較的低い高さに調整して設置するときは、短円筒形の脚部９の下端開口部に形成してある第１の連結部（雌ねじ部）１３に第１の雌ねじ部１４の上端部に設けられている第２の連結部（雄ねじ部）１５を螺合させることにより脚部９に第１の雌ねじ部１４を取り付け、この第１の雌ねじ部１４の雌ねじ部１６に第１の雄ねじ部１７を螺合させて取り付ける。そして、第１の雄ねじ部１７を、第１の雌ねじ部１４からの突出長さを伸長又は短縮させる方向に回動させることにより、計量コンベア７及び送り込みコンベア８の搬送面が所望の高さとなるように調整することができる。
【００１５】
図５（ｄ）〜（ｆ）に示すように、第１の高さ調整装置１０により、計量コンベア７及び送り込みコンベア８の搬送面を比較的高い高さに調整して設置するときは、第１の連結部１３（雌ねじ部）に第３の連結部（雄ねじ部）１８を螺合させることにより脚部９に延長部材１９を取り付け、この延長部材１９の第４の連結部（雌ねじ部）２０に第２の連結部（雄ねじ部）１５を螺合させることにより、延長部材１９の下端部に第１の雌ねじ部１４を取り付ける。更に、第１の雌ねじ部１４の雌ねじ部１６に第１の雄ねじ部１７を螺合させて取り付ける。そして、第１の雄ねじ部１７を、第１の雌ねじ部１４からの突出長さを伸長又は短縮させる方向に回動させることにより、計量コンベア７及び送り込みコンベア８の搬送面が所望の高さとなるように調整することができる。
なお、図５に示す２１は締め付けナットである。この締め付けナット２１は、第１の雄ねじ部１７と第１の雌ねじ部１４との螺合が緩まないように固定するためのものである。
【００１６】
図２は、架台３を示す図であり、（ａ）は正面図、（ｂ）は側面図である。図２に示すように、４本の各脚部９の下端開口部の内周面に第１の連結部（雌ねじ部）１３を設けてある。
図３は、第１の雌ねじ部１４を示す図であり、（ａ）は正面図、（ｂ）は底面図である。図３に示すように、第１の雌ねじ部１４は、上端部の外周面に第２の連結部（雄ねじ部）１５を設けてあり、下端開口部の内周面に雌ねじ部１６を設けてある。
図４は、延長部材１９を示す図であり、（ａ）は正面図、（ｂ）は底面図である。図４に示すように、延長部材１９は短円筒形であり、上端部の外周面に第３の連結部（雄ねじ部）１８を設けてあり、下端開口部の内周面に第４の連結部（雌ねじ部）２０を設けてある。そして、内孔１９ａは、第１の雄ねじ部１７が挿通可能な大きさに形成してある。
【００１７】
図５（ａ）〜（ｃ）は、第１の高さ調整装置１０において、延長部材１９を使用せずに、計量コンベア７及び送り込みコンベア８の搬送面を比較的低い高さに設置するときの高さ調整範囲を示す図である。図５（ｄ）〜（ｆ）は、第１の高さ調整装置１０において、延長部材１９を使用して、計量コンベア７及び送り込みコンベア８の搬送面等を比較的高い高さに設置するときの高さ調整範囲を示す図である。図５（ａ）及び図５（ｄ）は、第１の雄ねじ部１７の第１の雌ねじ部１４に対する突出長さを最も短くした状態を示す図である。図５（ｂ）及び図５（ｅ）は、第１の雄ねじ部１７の第１の雌ねじ部１４に対する突出長さを最も長く伸ばした状態を示す図である。図５（ｃ）、図５（ｆ）は、第１の雄ねじ部１７の第１の雌ねじ部１４に対する突出長さを、図５（ａ）に示す状態と図５（ｂ）に示す状態の間の長さ（又は図５（ｄ）に示す状態と図５（ｅ）に示す状態の間の長さ）にした状態を示す図である。
【００１８】
上記のように構成された第１の高さ調整装置１０によると、計量コンベア７及び送り込みコンベア８の搬送面を比較的高い高さに設置するときは、架台３の４つの各脚部９の下端部と、第１の雄ねじ部１７が螺合する第１の雌ねじ部１４と、の間に延長部材１９を取り付けることができるので（図５（ｄ）〜（ｆ）参照）、この延長部材１９の長さの分だけ第１の雄ねじ部１７を第１の雌ねじ部１４から長く延ばすように調整する必要がなく、これによって、設置される架台３の剛性が低くならないようにすることができる。従って、架台３に設けられている計量コンベア７及び送り込みコンベア８が発生する振動を低く抑えることができ、これにより、計量精度の低下を防止することができる。
そして、第１の連結部１３と第２の連結部１５、第１の連結部１３と第３の連結部１８、及び第２の連結部１５と第４の連結部２０は、それぞれ互いにねじによって着脱可能に連結しているので、それぞれの連結部の剛性が高く、着脱を簡単に行うことができる。
【００１９】
次に、図６〜図８を参照して第２の高さ調整装置１２を説明する。第２の高さ調整装置１２は、図６及び図７に示すように、操作表示部５を高さ方向に摺動可能に架台３に取り付けている摺動機構２２に設けてある。摺動機構２２は、操作表示部５が設けられている筐体１１の左右の各側面に対してそれぞれ１組ずつ設けてあり、この両方の摺動機構２２は同等のものであるので図７に示す右側のものを説明し、左側のものの説明を省略する。この摺動機構２２は、案内部２３とこの案内部２３に沿って摺動可能な摺動部２４とから成っている。
【００２０】
摺動部２４は板状体であり、筐体１１の右側面に固定して設けてある。この摺動部２４の略中央に、縦方向に沿って互いに所定の間隔を隔てて複数のねじ孔２５、・・・（図７参照）を設けてある。そして、この摺動部２４の縦方向の両側の各縁部の筐体１１側の側縁に沿って溝２６を設けてある。
案内部２３は、摺動部２４の縦方向の両側の各縁部と所定の隙間を隔ててそれぞれ配置されており、保持板２７に固定して設けてある。保持板２７は、架台３に固定して設けてある。そして、各案内部２３の筐体１１側の縁部の摺動部２４側の側縁に突条２８を突設してある。各案内部２３の突条２８は、摺動部２４に設けられている対応する各溝２６内に嵌合している。そして、保持板２７の中央部に挿通孔２９を設けてあり、この挿通孔２９に第２の雄ねじ部３０を回動自在に挿通してある。この第２の雄ねじ部３０は、各ねじ孔２５に螺合可能であり把手３１に突設してある。図６（ｂ）に示す３２は座金である。
上記のように摺動部２４に設けられている複数のねじ孔２５と保持板２７の挿通孔２９に挿通する第２の雄ねじ部３０が第２の高さ調整装置１２を構成している。
【００２１】
上記のように構成された第２の高さ調整装置１２によると、摺動部２４を保持部２７に設けられている固定側の案内部２３に沿って上下方向に摺動させることができるので、設置面３３からの計量コンベア７等の高さを変更することなく、この摺動部２４が設けられている筐体１１と共に操作表示部５を設置面３３から所望の高さとなるように、上下方向に移動させることができる。そして、操作表示部５を設置面３３から所望の高さに変更した状態で、一対の保持板２７の各挿通孔２９に挿通する各第２の雄ねじ部３０を、一対の各摺動部２４に設けられている対応する一対のねじ孔２５に螺合させて締め付け、これにより、操作表示部５をその両側に配置されている一対の保持板２７を介して架台３に固定することができる。
なお、図８（ａ）は第２の高さ調整装置１２により、操作表示部５を架台３に対して最も高い位置に調整した状態を示す背面図であり、図８（ｂ）は第２の高さ調整装置１２により、操作表示部５を架台３に対して最も低い位置に調整した状態を示す背面図である。
【００２２】
従って、この重量選別機によると、計量コンベア７、及び送り込みコンベア８の各搬送面の設置面３３からの高さを、この送り込みコンベア８等に被計量物を送り込むための例えば既設の搬入コンベア（図示せず）の高さに合わせるときは、まず、第１の高さ調整装置１０により計量コンベア７等の高さの調整を行う。そして、計量コンベア７等の高さを変更すると、この計量コンベア７等の高さ方向の移動に伴って操作表示部５も同方向に移動するので、この操作表示部５の高さが作業者にとって見にくい、又は操作しにくい不適切な高さとなることがあるが、第２の高さ調整装置１２により操作表示部５の設置面３３からの高さを調整することにより、操作表示部５を作業者にとって見やすい、又は操作しやすい適切な高さに変更することができる。
【００２３】
ただし、上記実施形態の第２の高さ調整装置１２は、図６に示すように、把手３１に設けられている第２の雄ねじ部３０と摺動部２４に設けられている複数のねじ孔２５とから成る構成としたが、第２の雄ねじ部３０に代えて把手３１にピン（凸部）を突設し、複数のねじ孔２５に代えて複数のピン挿通孔（凹部）を摺動部２４に設けた構成としてもよい。この場合、ピンがピン挿通孔から外れにくくするために、ピンをピン挿通孔に嵌合する方向に常に付勢するばねを設け、ピンをピン挿通孔から外すときは、作業者がこのばねの力に抗する方向に把手３１を引っ張るようにするとよい。
そして、上記実施形態では、重量選別機に第１の高さ調整装置１０及び第２の高さ調整装置１２の両方を設けた構成としたが、必要に応じていずれか一方の高さ調整装置を設けた構成としてもよい。
また、上記実施形態では、本発明を重量選別機に適用した例を示したが、これ以外の計量装置に適用することができる。
【００２４】
【発明の効果】
第１の発明に係る高さ調整装置によると、被支持体を比較的高い高さに設置するときは、被支持体と、第１の雄ねじ部が螺合する第１の雌ねじ部と、の間に延長部材を取り付ける。これにより、この延長部材の長さの分だけ第１の雄ねじ部を第１の雌ねじ部から長く延ばすように調整する必要がなく、その結果、第１の雄ねじ部を太くすることなく、設置される被支持体の剛性が低くならないようにすることができる。従って、被支持体が計量器である場合は、計量精度の低下を防止することができる。
【００２５】
さらに、第１の連結部と第２の連結部、第１の連結部と第３の連結部、及び第２の連結部と第４の連結部は、それぞれ互いにねじによって着脱可能に連結しているので、各連結部の剛性が高く構造が簡単であり、夫々の着脱を簡単に行うことができる。そして、第２の雌ねじ部によって第１の雄ねじ部の第１の雌ねじ部に対する緩みを防止することができる。
【００２６】
第２の発明に係る計量装置によると、設置面からの計量部の高さを例えばこの計量部に被計量物を送り込むための搬入コンベアの高さに合わせるときは、第１の高さ調整装置により計量部の高さを調整して行うことができる。そして、計量部の高さを変更すると、この計量部の高さ方向の移動に伴って表示部又は操作部も同方向に移動するので、この表示部又は操作部の高さが作業者にとって見にくい、又は操作しにくい不適切な高さとなることがあるが、計量部の高さを変更することなく、第２の高さ調整装置により設置面からの表示部等の高さを調整することができる。これにより、表示部又は操作部を作業者にとって見やすい、又は操作しやすい適切な高さに変更することができる。
【図面の簡単な説明】
【図１】この発明の一実施形態に係る重量選別機を示す図であり、（ａ）は正面図、（ｂ）は側面図である。
【図２】同実施形態に係る重量選別機の架台を示す図であり、（ａ）は正面図、（ｂ）は側面図である。
【図３】同実施形態の第１の高さ調整装置を構成する第１の雌ねじ部を示す図であり、（ａ）は部分切欠拡大正面図、（ｂ）は拡大底面図である。
【図４】同実施形態の第１の高さ調整装置を構成する延長部材を示す図であり、（ａ）は部分切欠拡大正面図、（ｂ）は拡大底面図である。
【図５】同実施形態の第１の高さ調整装置により高さ調整を行った状態を示す図であり、（ａ）は延長部材を使用せずに最も低い高さに調整した状態を示す断面図、（ｂ）は延長部材を使用せずに最も高い高さに調整した状態を示す断面図、（ｃ）は延長部材を使用せずに中ぐらいの高さに調整した状態を示す断面図、（ｄ）は延長部材を使用して最も低い高さに調整した状態を示す断面図、（ｅ）は延長部材を使用して最も高い高さに調整した状態を示す断面図、（ｆ）は延長部材を使用して中ぐらいの高さに調整した状態を示す断面図である。
【図６】同実施形態の第２の高さ調整装置を示す図であり、（ａ）は平面図、（ｂ）は部分拡大横断面図である。
【図７】同実施形態の第２の高さ調整装置を示す側面図である。
【図８】図８（ａ）は第２の高さ調整装置により、操作表示部を架台に対して最も高い位置に調整した状態を示す背面図であり、図８（ｂ）は第２の高さ調整装置により、操作表示部を架台に対して最も低い位置に調整した状態を示す背面図である。
【符号の説明】
４  計量部
５  操作表示部
７  計量コンベア
１０  第１の高さ調整装置
１２  第２の高さ調整装置
１３  第１の連結部（雌ねじ部）
１４  第１の雌ねじ部
１５  第２の連結部（雄ねじ部）
１６  雌ねじ部（第１の雌ねじ部）
１７  第１の雄ねじ部
１８  第３の連結部（雄ねじ部）
１９  延長部材
２０  第４の連結部（雌ねじ部）
２５  ねじ孔
３０  第２の雄ねじ部
【図１】
0004570711.tif 000002
【図２】
0004570711.tif 000003
【図３】
0004570711.tif 000004
【図４】
0004570711.tif 000005
【図５】
0004570711.tif 000006
【図６】
0004570711.tif 000007
【図７】
0004570711.tif 000008
【図８】
0004570711.tif 000009